(57)【要約】【課題】異なる複数のサイズの用紙に対応して非通紙領域において加熱回転体の温度が過度に上昇されることを低減しつつ、センターコア部の径が大きくなることを抑制することができる定着装置を提供する。【解決手段】加熱回転体９ａと、加圧回転体９ｂと、誘導コイル７１と、磁性体コア部７２とを備え、磁性体コア部７２は、所定サイズの被転写材Ｔに対応した第１コア部材７３９の外面を覆うように配置される１又は複数の第１コア部材側遮蔽部７７３Ａ、７７３Ｂ、７７３Ｃを有する第１可動コア部７３と、１又は複数の第１コア部材側遮蔽部それぞれが対応するサイズとは異なるサイズの被転写材Ｔに対応して第２コア部材７５１の外面領域それぞれを覆うように配置される１又は複数の第２コア部材側遮蔽部７８２Ａ、７８２Ｂを有する第２可動コア部７５とを有する。【選択図】図６
2012073461.tif 000002
【特許請求の範囲】
【請求項１】
電磁誘導を利用した電磁誘導加熱により発熱される環状の加熱回転体と、
前記加熱回転体に対向して配置され加熱回転体との間で定着ニップを形成する環状の加圧回転体と、
前記加熱回転体の外面から所定距離離間して前記外面に沿って配置され、線材を巻き回して形成されて前記加熱回転体を発熱させるための磁束を発生させる誘導コイルと、
前記誘導コイルにおける内周縁の内側と外周縁の外側とを通り該誘導コイルを囲むように周回する磁路を形成する磁性体コア部であって、
前記誘導コイルを挟んで前記加熱回転体の外面に対向する１又は複数の固定コア部と、
前記磁路の周回方向において前記１又は複数の固定コア部と並んで前記誘導コイルの内周縁の近傍に配置され回転可能な第１可動コア部であって、前記誘導コイルを挟まずに前記加熱回転体の外面から所定距離離間して配置される第１コア部材と、所定サイズの被転写材に対応した前記第１コア部材の外面それぞれを覆うように配置されると共に前記第１コア部材の周方向に並んで配置される磁束を低減させ又は遮蔽する１又は複数の第１コア部材側遮蔽部と、を有する第１可動コア部と、
前記磁路の周回方向において前記１又は複数の固定コア部と並んで前記誘導コイルの外周縁の近傍に配置され回転可能な第２可動コア部であって、前記誘導コイルを挟まずに前記加熱回転体の外面から所定距離離間して配置される第２コア部材と、前記１又は複数の第１コア部材側遮蔽部それぞれが対応するサイズの被転写材とは異なるサイズの被転写材に対応して前記第２コア部材の外面における領域それぞれを覆うように配置されると共に前記第２コア部材の周方向に並んで配置される磁束を低減させ又は遮蔽する１又は複数の第２コア部材側遮蔽部と、を有する第２可動コア部と、を有する磁性体コア部と、を備える
定着装置。
【請求項２】
前記１又は複数の第１コア部材側遮蔽部のうちのいずれかを前記加熱回転体の外面に対向させるよう前記第１可動コア部を回転駆動する第１回転駆動部と、
前記１又は複数の第２コア部材側遮蔽部のうちのいずれかを前記加熱回転体の外面に対向させるよう前記第２可動コア部を回転駆動する第２回転駆動部と、
前記１又は複数の第１コア部材側遮蔽部及び前記１又は複数の第２コア部材側遮蔽部のうちのいずれかを前記加熱回転体の外面に対向させるように、前記第１回転駆動部及び／又は前記第２回転駆動部を回転駆動させる駆動制御部と、を備える
請求項１に記載の定着装置。
【請求項３】
前記被転写材に画像を形成する画像形成部と、
前記画像形成部により画像が形成される前記被転写材のサイズに関する情報であるサイズ情報を含む画像形成指示情報を受け付け可能な受け付け部と、
請求項２に記載の定着装置と、を備え、
前記駆動制御部は、前記受け付け部に受け付けられた前記被転写材の前記サイズ情報に基づいて、前記１又は複数の第１コア部材側遮蔽部及び前記１又は複数の第２コア部材側遮蔽部のうちの被転写材のサイズに対応するいずれかを前記加熱回転体の外面に対向させるように、前記第１回転駆動部及び／又は前記第２回転駆動部を回転駆動させる
画像形成装置。
【発明の詳細な説明】
【技術分野】
【０００１】
本発明は、定着装置及びこれを備える画像形成装置に関する。
【背景技術】
【０００２】
従来より、画像形成装置に使用される用紙に画像を定着させる定着装置として、加熱回転体と、加熱回転体との間でトナー画像が転写された用紙を挟持して定着ニップを形成する加圧回転体と、加熱回転体を加熱するハロゲンランプ等のヒータと、を備える定着装置が使用されている。
【０００３】
近年、定着装置における加熱回転体を加熱する方式として、電磁誘導を利用した電磁誘導加熱（ＩＨ；ｉｎｄｕｃｔｉｏｎ  ｈｅａｔｉｎｇ）により加熱する方式が使用される場合がある。電磁誘導加熱（ＩＨ）方式を用いた定着装置によれば、ハロゲンランプを使用した加熱方式と比較して、急速な加熱が可能であると共に加熱の効率が高いという利点がある。
【０００４】
電磁誘導加熱方式の定着装置においては、定着装置に搬送（通紙）される被転写材としての用紙の幅（通紙幅）に合わせて、用紙が定着装置の定着ニップに搬送される場合における用紙が通過する通紙領域の外側の領域（非通紙領域）における加熱回転体の温度が過度に上昇することを抑制するために、非通紙領域と通紙領域とにおける加熱回転体の発熱量を調整することができる技術が提案されている（例えば、特許文献１参照）。
【０００５】
特許文献１に記載される定着装置においては、磁性体コア部は、切り欠き部分が形成されると共に切り欠き部分に磁束遮蔽部材を配置したセンターコア（第１コア部材）を有しており、センターコアを回転することで、非通紙領域と通紙領域とにおける加熱回転体の発熱量を調整する。
【０００６】
ところで、非通紙領域と通紙領域とにおける加熱回転体の発熱量の調整することができる定着装置において、用紙幅方向の長さが異なる多くのサイズの用紙に対応することが望まれている。
【先行技術文献】
【特許文献】
【０００７】
【特許文献１】特開２００９−３７２６４号公報
【発明の概要】
【発明が解決しようとする課題】
【０００８】
しかし、特許文献１に記載の定着装置においては、用紙幅方向の長さが異なる多くのサイズの用紙に対応するためには、センターコアに複数の切り欠き部分を形成する加工を行う必要性が生じる。また、センターコアに複数の切り欠き部分を形成する加工を行うことは、難しくコストが嵩むこととなる。
また、用紙幅方向の長さが異なる多くのサイズの用紙に対応するためには、周方向の遮蔽領域を確保した状態で磁束遮蔽部材をセンターコアの周方向に並べて配置する必要性が生じる。従って、用紙幅方向の長さが異なる多くのサイズの用紙に対応するためには、センターコアの径を大きくする必要性が生じる。
【０００９】
本発明は、直交方向（用紙幅方向）の長さが異なる複数のサイズの被転写材に対応して通紙領域の外側領域（非通紙領域）において加熱回転体の温度が過度に上昇されることを低減しつつ、第１コア部材（センターコア部）の径が大きくなることを抑制することができる定着装置を提供することを目的とする。
また、本発明は、前記定着装置を備える画像形成装置を提供することを目的とする。
【課題を解決するための手段】
【００１０】
本発明は、電磁誘導を利用した電磁誘導加熱により発熱される環状の加熱回転体と、前記加熱回転体に対向して配置され加熱回転体との間で定着ニップを形成する環状の加圧回転体と、前記加熱回転体の外面から所定距離離間して前記外面に沿って配置され、線材を巻き回して形成されて前記加熱回転体を発熱させるための磁束を発生させる誘導コイルと、前記誘導コイルにおける内周縁の内側と外周縁の外側とを通り該誘導コイルを囲むように周回する磁路を形成する磁性体コア部であって、前記誘導コイルを挟んで前記加熱回転体の外面に対向する１又は複数の固定コア部と、前記磁路の周回方向において前記１又は複数の固定コア部と並んで前記誘導コイルの内周縁の近傍に配置され回転可能な第１可動コア部であって、前記誘導コイルを挟まずに前記加熱回転体の外面から所定距離離間して配置される第１コア部材と、所定サイズの被転写材に対応した前記第１コア部材の外面それぞれを覆うように配置されると共に前記第１コア部材の周方向に並んで配置される磁束を低減させ又は遮蔽する１又は複数の第１コア部材側遮蔽部と、を有する第１可動コア部と、前記磁路の周回方向において前記１又は複数の固定コア部と並んで前記誘導コイルの外周縁の近傍に配置され回転可能な第２可動コア部であって、前記誘導コイルを挟まずに前記加熱回転体の外面から所定距離離間して配置される第２コア部材と、前記１又は複数の第１コア部材側遮蔽部それぞれが対応するサイズの被転写材とは異なるサイズの被転写材に対応して前記第２コア部材の外面における領域それぞれを覆うように配置されると共に前記第２コア部材の周方向に並んで配置される磁束を低減させ又は遮蔽する１又は複数の第２コア部材側遮蔽部と、を有する第２可動コア部と、を有する磁性体コア部と、を備える定着装置に関する。
【００１１】
また、前記１又は複数の第１コア部材側遮蔽部のうちのいずれかを前記加熱回転体の外面に対向させるよう前記第１可動コア部を回転駆動する第１回転駆動部と、前記１又は複数の第２コア部材側遮蔽部のうちのいずれかを前記加熱回転体の外面に対向させるよう前記第２可動コア部を回転駆動する第２回転駆動部と、前記１又は複数の第１コア部材側遮蔽部及び前記１又は複数の第２コア部材側遮蔽部のうちのいずれかを前記加熱回転体の外面に対向させるように、前記第１回転駆動部及び／又は前記第２回転駆動部を回転駆動させる駆動制御部と、を備えることが好ましい。
【００１２】
また、本発明は、前記被転写材に画像を形成する画像形成部と、前記画像形成部により画像が形成される前記被転写材のサイズに関する情報であるサイズ情報を含む画像形成指示情報を受け付け可能な受け付け部と、前記定着装置と、を備え、前記駆動制御部は、前記受け付け部に受け付けられた前記被転写材の前記サイズ情報に基づいて、前記１又は複数の第１コア部材側遮蔽部及び前記１又は複数の第２コア部材側遮蔽部のうちの被転写材のサイズに対応するいずれかを前記加熱回転体の外面に対向させるように、前記第１回転駆動部及び／又は前記第２回転駆動部を回転駆動させる画像形成装置に関する。
【発明の効果】
【００１３】
本発明によれば、直交方向（用紙幅方向）の長さが異なる複数のサイズの被転写材に対応して通紙領域の外側領域（非通紙領域）において加熱回転体の温度が過度に上昇されることを低減しつつ、第１コア部材（センターコア部）の径が大きくなることを抑制することができる定着装置を提供することができる。
また、本発明は、前記定着装置を備える画像形成装置を提供することができる。
【図面の簡単な説明】
【００１４】
【図１】本発明の第１実施形態のプリンタ１の各構成要素の配置を説明するための図である。
【図２】第１実施形態のプリンタ１の定着装置９の各構成要素を説明するための断面図である。
【図３】図２に示す加熱ユニット７０を用紙Ｔの搬送方向Ｄ１から視た図である。
【図４】第１磁束遮蔽部７７、第２磁束遮蔽部７８及び第３磁束遮蔽部７９に関連する構成を示す模式図である。
【図５】第１磁束遮蔽部７７、第２磁束遮蔽部７８及び第３磁束遮蔽部７９の形状を示す図である。
【図６】３つの第１コア部材側遮蔽部７７３Ａ、７７３Ｂ、７７３Ｃ、２つの第２コア部材側遮蔽部７８２Ａ、７８２Ｂ及び２つの第３コア部材側遮蔽部７９２Ａ、７９２Ｂを説明する図である。
【図７】第１実施形態における第１回転駆動部１５５、第２回転駆動部１５４ａ及び第３回転駆動部１５４ｂに関連する構成を説明する図である。
【図８】第１実施形態における第１磁束遮蔽部７７、第２磁束遮蔽部７８及び第３磁束遮蔽部７９の遮蔽状態を説明する図である。
【図９】第１実施形態の定着装置９を含むプリンタ１の動作を説明するフローチャートである。
【図１０Ａ】各用紙Ｔの通紙領域において誘導コイル７１が発生させた磁束が低減されず又は遮蔽されずに磁路を通過する状態を説明する図である。
【図１０Ｂ】用紙Ｔの非通紙領域において第１磁束遮蔽部７７が加熱回転ベルト９３の外周面に対向した状態を説明する図である。
【図１０Ｃ】用紙Ｔの非通紙領域において第１磁束遮蔽部７７、第２磁束遮蔽部７８及び第３磁束遮蔽部７９が加熱回転ベルト９３の外周面に対向した状態を説明する図である。
【図１１】第２実施形態における定着装置９の加熱ユニット７０を用紙Ｔの搬送方向Ｄ１から視た図である。
【図１２】第２実施形態の第１磁束遮蔽部７７Ａ、第２磁束遮蔽部７８Ａ及び第３磁束遮蔽部７９Ａの形状を示す図である。
【図１３】３つの第１コア部材側遮蔽部７７７Ａ、７７７Ｂ、７７７Ｃ、３つの第２コア部材側遮蔽部７８７Ａ、７８７Ｂ、７８７Ｃ及び３つの第３コア部材側遮蔽部７９７Ａ、７９７Ｂ、７９７Ｃを説明する図である。
【図１４】第２実施形態における第１磁束遮蔽部７７Ａ、第２磁束遮蔽部７８Ａ及び第３磁束遮蔽部７９Ａの遮蔽状態を説明する図である。
【発明を実施するための形態】
【００１５】
以下、図面を参照して本発明の実施形態を説明する。
図１により、第１実施形態における画像形成装置としてのプリンタ１の全体構造を説明する。図１は、本発明の第１実施形態のプリンタ１の各構成要素の配置を説明するための図である。
【００１６】
図１に示すように、第１実施形態における画像形成装置としてのプリンタ１は、装置本体Ｍと、画像情報に基づいてシート状の被転写材としての用紙Ｔにトナー画像を形成する画像形成部ＧＫと、用紙Ｔを画像形成部ＧＫに向けて給紙すると共にトナー画像が形成された用紙Ｔを排紙する給排紙部ＫＨとを有する。
装置本体Ｍの外形は、筐体としてのケース体ＢＤにより構成される。
【００１７】
図１に示すように、画像形成部ＧＫは、像担持体（感光体）としての感光体ドラム２と、帯電部１０と、露光ユニットとしてのレーザスキャナユニット４と、現像器１６と、トナーカートリッジ５と、トナー供給部６と、ドラムクリーニング部１１と、除電器１２と、転写部としての転写ローラ８と、定着装置９とを備える。
【００１８】
図１に示すように、給排紙部ＫＨは、給紙カセット５２と、用紙Ｔの搬送路Ｌと、レジストローラ対８０と、排紙部５０とを備える。
【００１９】
以下、画像形成部ＧＫ及び給排紙部ＫＨの各構成について詳細に説明する。
まず、画像形成部ＧＫについて説明する。
画像形成部ＧＫにおいては、感光体ドラム２の表面に沿って順に、上流側から下流側に順に、帯電部１０による帯電、レーザスキャナユニット４による露光、現像器１６による現像、転写ローラ８による転写、除電器１２による除電、及びドラムクリーニング部１１によるクリーニングが行われる。
【００２０】
感光体ドラム２は、円筒形状の部材からなり、感光体又は像担持体として機能する。感光体ドラム２は、搬送路Ｌにおける用紙Ｔの搬送方向に対して直交する方向に延びる回転軸を中心に、矢印の方向に回転可能に配置される。感光体ドラム２の表面には、静電潜像が形成され得る。
【００２１】
帯電部１０は、感光体ドラム２の表面に対向して配置される。帯電部１０は、感光体ドラム２の表面を一様に負（マイナス極性）又は正（プラス極性）に帯電させる。
【００２２】
レーザスキャナユニット４は、露光ユニットとして機能するものであり、感光体ドラム２の表面から離間して配置される。
レーザスキャナユニット４は、ＰＣ（パーソナルコンピュータ）等の外部機器から入力された画像情報に基づいて、感光体ドラム２の表面を走査露光する。レーザスキャナユニット４により走査露光されることで、感光体ドラム２の表面に静電潜像が形成される。
【００２３】
現像器１６は、感光体ドラム２に対応して設けられ、感光体ドラム２の表面に対向して配置される。現像器１６は、感光体ドラム２に形成された静電潜像を単色（通常はブラック）のトナーを用いて現像して、単色のトナー画像を感光体ドラム２の表面に形成する。現像器１６は、感光体ドラム２の表面に対向配置された現像ローラ１７、トナー攪拌用の攪拌ローラ１８等を有して構成される。
【００２４】
トナーカートリッジ５は、現像器１６に対応して設けられており、現像器１６に対して供給されるトナーを収容する。
トナー供給部６は、トナーカートリッジ５及び現像器１６に対応して設けられており、トナーカートリッジ５に収容されたトナーを現像器１６に対して供給する。
転写ローラ８は、感光体ドラム２の表面に現像されたトナー画像を用紙Ｔに転写させる。転写ローラ８は、感光体ドラム２に対して当接した状態で回転可能に構成される。
【００２５】
感光体ドラム２と転写ローラ８との間で、転写ニップＮが形成される。転写ニップＮにおいて、感光体ドラム２に現像されたトナー画像が用紙Ｔに転写される。
除電器１２は、感光体ドラム２の表面に対向して配置される。
ドラムクリーニング部１１は、感光体ドラム２の表面に対向して配置される。
【００２６】
定着装置９は、用紙Ｔに転写されたトナー画像を構成するトナーを溶融及び加圧して、用紙Ｔに定着させる。
定着装置９の詳細については後述する。
【００２７】
次に、給排紙部ＫＨについて説明する。
図１に示すように、装置本体Ｍの下部には、用紙Ｔを収容する１個の給紙カセット５２が配置される。給紙カセット５２には、用紙Ｔが載置される載置板６０が配置される。載置板６０に載置された用紙Ｔは、カセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３とからなる重送防止機構を備える。
【００２８】
装置本体Ｍの上部には、排紙部５０が設けられる。排紙部５０は、第３ローラ対５３により用紙Ｔを装置本体Ｍの外部に排紙する。排紙部５０の詳細については後述する。
【００２９】
用紙Ｔを搬送する搬送路Ｌは、カセット給紙部５１から転写ニップＮまでの第１搬送路Ｌ１と、転写ニップＮから定着装置９までの第２搬送路Ｌ２と、定着装置９から排紙部５０までの第３搬送路Ｌ３と、第３搬送路Ｌ３を上流側から下流側へ搬送する用紙を、表裏反転させて第１搬送路Ｌ１に戻す戻し搬送路Ｌｂとを備える。
【００３０】
また、第１搬送路Ｌ１の途中には、第１合流部Ｐ１及び第２合流部Ｐ２が設けられている。第３搬送路Ｌ３の途中には、第１分岐部Ｑ１が設けられている。
【００３１】
第１搬送路Ｌ１の途中（詳細には、第２合流部Ｐ２と転写ローラ８との間）には、用紙Ｔを検出するためのセンサ（不図示）と、用紙Ｔのスキュー（斜め給紙）補正や画像形成部ＧＫにおけるトナー画像の形成と用紙Ｔの搬送のタイミングを合わせるためのレジストローラ対８０とが配置される。
【００３２】
第３搬送路Ｌ３の端部には、排紙部５０が配設される。排紙部５０は、第３搬送路Ｌ３を搬送される用紙Ｔを第３ローラ対５３によって装置本体Ｍの外部に排紙する。
【００３３】
排紙部５０における開口側には、排紙集積部Ｍ１が形成される。排紙集積部Ｍ１は、装置本体Ｍの上面（外面）に形成される。
なお、各搬送路の所定位置には用紙検出用のセンサ（不図示）が配置される。
【００３４】
次に、本実施形態のプリンタ１における特徴部分である定着装置９に係る構成について詳細に説明する。図２は、第１実施形態のプリンタ１の定着装置９の各構成要素を説明するための断面図である。図３は、図２に示す加熱ユニット７０を用紙Ｔの搬送方向Ｄ１から視た図である。図４は、第１磁束遮蔽部７７、第２磁束遮蔽部７８及び第３磁束遮蔽部７９に関連する構成を示す模式図である。図５は、第１磁束遮蔽部７７、第２磁束遮蔽部７８及び第３磁束遮蔽部７９の形状を示す図である。図６は３つの第１コア部材側遮蔽部７７３Ａ、７７３Ｂ、７７３Ｃ、２つの第２コア部材側遮蔽部７８２Ａ、７８２Ｂ及び２つの第３コア部材側遮蔽部７９２Ａ、７９２Ｂを説明する図である。図７は、第１実施形態における第１回転駆動部１５５、第２回転駆動部１５４ａ及び第３回転駆動部１５４ｂに関連する構成を説明する図である。図８は、第１実施形態における第１磁束遮蔽部７７、第２磁束遮蔽部７８及び第３磁束遮蔽部７９の遮蔽状態を説明する図である。
【００３５】
図２に示すように、定着装置９は、加熱回転体９ａと、加熱回転体９ａに圧接（当接）される加圧回転体９ｂと、加熱ユニット７０と、複数の温度センサ９５と、を備える。
【００３６】
加熱回転体９ａは、環状に形成される。加熱回転体９ａは、その周方向である第１周方向Ｒ１に回転可能に構成される。加熱回転体９ａは、後述する加熱ユニット７０を用いることで、電磁誘導を利用した電磁誘導加熱（ＩＨ；ｉｎｄｕｃｔｉｏｎ  ｈｅａｔｉｎｇ）により発熱される。
加熱回転体９ａは、定着側ローラ９２と、定着側ローラ９２の外周面を覆うように配置される加熱回転ベルト９３と、を備える。
【００３７】
図２に示すように、定着側ローラ９２は、円筒状に形成される。定着側ローラ９２は、第１周方向Ｒ１に直交する方向Ｄ２に平行な第１回転軸Ｊ１を中心に、第１周方向Ｒ１に回転可能に構成される。定着側ローラ９２は、第１回転軸Ｊ１方向に延びるように形成される。本実施形態においては、第１周方向Ｒ１に直交する直交方向Ｄ２を「用紙幅方向Ｄ２」ともいう。
【００３８】
定着側ローラ９２は、定着側ローラ本体９２１と、第１回転軸Ｊ１と同軸の不図示の軸部材と、を有する。定着側ローラ本体９２１は、円筒状の金属部材と、金属部材の外周面に形成される弾性層と、を有する。
【００３９】
定着側ローラ９２の軸部材（不図示）は、定着側ローラ本体９２１の両端部から第１回転軸Ｊ１方向の外側それぞれに突出して形成されている。定着側ローラ９２の軸部材（不図示）は、定着装置９のケースやその他の部材により回転可能に支持される。これにより、定着側ローラ９２は、第１回転軸Ｊ１を中心に回転可能となっている。
【００４０】
図２に示すように、加熱回転ベルト９３は、環状（無端ベルト状）に形成される。加熱回転ベルト９３は、第１周方向Ｒ１に回転可能に構成される。加熱回転ベルト９３は、定着側ローラ９２の外周面を覆うように定着側ローラ９２の外周面に沿って配置される。加熱回転ベルト９３の内周面には、定着側ローラ９２の外周面が当接する。加熱回転ベルト９３は、耐熱性を有する。
【００４１】
本実施形態においては、加熱回転ベルト９３は、基材がニッケル等の強磁性材料により形成される。加熱回転ベルト９３は、後述する加熱ユニット７０の誘導コイル７１により発生される磁束が通る領域に配置されると共に、その基材が強磁性材料により構成されることで、加熱ユニット７０の誘導コイル７１により発生される磁束の磁路を形成する。誘導コイル７１により発生される磁束は、磁路を形成する加熱回転ベルト９３に沿って通過する（導かれる）。
【００４２】
加熱回転ベルト９３には、後述する誘導コイル７１により発生された加熱回転ベルト９３を通過する磁束により、電磁誘導によって渦電流（誘導電流）が発生する。加熱回転ベルト９３には、渦電流が流れることで、加熱回転ベルト９３が有する電気抵抗によりジュール熱が発生する。
【００４３】
加圧回転体としての加圧ローラ９ｂは、円筒状に形成される。加圧ローラ９ｂは、加熱回転体９ａの垂直方向下方側に定着側ローラ９２に対向して配置される。加圧ローラ９ｂは、用紙幅方向Ｄ２に平行な第２回転軸Ｊ２を中心に、加圧ローラ９ｂの周方向である第２周方向Ｒ２に回転可能に構成される。加圧ローラ９ｂは、第２回転軸Ｊ２方向に延びるように形成される。
【００４４】
加圧ローラ９ｂは、その外周面が、加熱回転ベルト９３の外周面（外面）に当接するように配置される。加圧ローラ９ｂは、加熱回転ベルト９３を介して定着側ローラ９２を押圧するように配置される。加圧ローラ９ｂは、定着側ローラ９２との間に加熱回転ベルト９３の一部を挟み込んで、加熱回転ベルト９３と定着ニップＦを形成する。定着ニップＦは、用紙Ｔを挟み込むと共に、用紙Ｔを搬送する。
【００４５】
加圧ローラ９ｂは、加圧ローラ本体９４１と、第２回転軸Ｊ２と同軸の不図示の軸部材と、を有する。加圧ローラ本体９４１は、円筒状の金属部材と、金属部材の外周面に形成される弾性層と、弾性層の外周面に形成される離型層と、を有する。
【００４６】
加圧ローラ９ｂの軸部材（不図示）には、加圧ローラ９ｂを回転駆動させる回転駆動部（不図示）が接続される。この回転駆動部により、加圧ローラ９ｂが第２周方向Ｒ２に所定速度で回転駆動されると共に、加圧ローラ９ｂの回転に従動して、加圧ローラ９ｂの外周面に当接する加熱回転ベルト９３が回転される。加熱回転ベルト９３が回転されることにより、加熱回転ベルト９３の内周面に当接する定着側ローラ９２は、加熱回転ベルト９３の回転に従動して回転される。
【００４７】
定着ニップＦに搬送される用紙Ｔは、定着装置９における通紙領域内を通過して搬送された場合に、トナー画像が定着される。「通紙領域」とは、定着ニップＦに搬送される用紙Ｔが加熱回転ベルト９３と加圧ローラ９ｂとに挟まれて通過する領域のことである。
また、用紙Ｔが定着ニップＦに搬送される場合における通紙領域の用紙幅方向Ｄ２の外側の領域である用紙Ｔが通過しない外側領域を「非通紙領域」という。非通紙領域は、複数のサイズの用紙Ｔに対応して形成される。
【００４８】
図３に示すように、用紙幅方向Ｄ２における最大長さの用紙Ｔが定着ニップＦに搬送される場合における通紙領域として、最大通紙領域９０１を設定する。最大通紙領域９０１は、プリンタ１ごとにそれぞれ設定される。
【００４９】
具体的には、加熱回転ベルト９３の外周面には、図３に示すように、加熱回転ベルト９３における最大通紙領域（第１通紙領域）９０１として、加熱側最大通紙領域（加熱側第１通紙領域）９０１ａが形成（設定）される。加圧ローラ９ｂの外周面には、加熱回転ベルト９３の加熱側最大通紙領域９０１ａに対応して、加圧回転体９ｂにおける最大通紙領域９０１として、加圧側最大通紙領域（加圧側第１通紙領域）９０１ｂが形成（設定）される。
加熱側最大通紙領域９０１ａにおける用紙幅方向Ｄ２に平行な方向の長さを、「最大通紙幅（第１通紙幅）Ｗ１」という。
【００５０】
また、用紙幅方向Ｄ２における最小長さの用紙Ｔが定着ニップＦに搬送される場合の用紙Ｔが通過する通紙領域として、最小通紙領域９０６を設定する。
【００５１】
具体的には、加熱回転ベルト９３の外周面には、加熱回転ベルト９３における最小通紙領域（第６通紙領域）９０６として、加熱側最小通紙領域（加熱側第６通紙領域）９０６ａが形成（設定）される。加圧ローラ９ｂの外周面には、加熱回転ベルト９３の加熱側最小通紙領域９０６ａに対応して、加圧側最小通紙領域（加圧側第６通紙領域）９０６ｂが形成（設定）される。
加熱側最小通紙領域９０６ａにおける用紙幅方向Ｄ２に平行な方向の長さを、「最小通紙幅（第６通紙幅）Ｗ６」という。
【００５２】
また、用紙幅方向Ｄ２における長さが最大長さよりも短く且つ最小長さよりも長い長さである中間長さの用紙Ｔの通紙領域として、用紙幅方向Ｄ２の長さが異なる４種類の中間通紙領域９０２、９０３、９０４、９０５を設定する。４種類の中間通紙領域は、用紙幅方向Ｄ２における長さが長い領域から順に、第２通紙領域９０２（加熱側第２通紙領域９０２ａ、加圧側第２通紙領域９０２ｂ）、第３通紙領域９０３（加熱側第３通紙領域９０３ａ、加圧側第３通紙領域９０３ｂ）、第４通紙領域９０４（加熱側第４通紙領域９０４ａ、加圧側第４通紙領域９０４ｂ）、第５通紙領域９０５（加熱側第５通紙領域９０５ａ、加圧側第５通紙領域９０５ｂ）である。
加熱側第２通紙領域９０２ａ、加熱側第３通紙領域９０３ａ、加熱側第４通紙領域９０４ａ及び加熱側第５通紙領域９０５ａそれぞれにおける用紙幅方向Ｄ２に平行な方向の長さを、「第２通紙幅Ｗ２」、「第３通紙幅Ｗ３」、「第４通紙幅Ｗ４」、「第５通紙幅Ｗ５」という。
なお、用紙Ｔの通紙領域は、これに制限されず、各サイズの用紙Ｔに対応して適宜設定することができる。
【００５３】
加熱ユニット７０について説明する。図２から図７に示すように、加熱ユニット７０は、誘導コイル７１と、磁性体コア部７２と、回転駆動部７７０と、を備える。誘導コイル７１は、加熱回転ベルト９３の外周面から所定距離だけ離間すると共に、加熱回転ベルト９３の外周面に沿って配置される。誘導コイル７１は、平面視（図２及び図３における上方から視た場合）において、用紙幅方向Ｄ２に長い形状に線材を巻き回して形成される。
誘導コイル７１は、用紙幅方向Ｄ２において加熱回転ベルト９３の長さよりも長く形成される。
【００５４】
誘導コイル７１は、銅製のリッツ線を巻き回して形成される。誘導コイル７１は、加熱回転ベルト９３の垂直方向の上方側の略半周の外周面に対向して配置される。
【００５５】
図２及び図３に示すように、誘導コイル７１は、用紙幅方向Ｄ２に延びるように形成される中央領域７１８を囲むように線材を巻き回して形成される。
【００５６】
本実施形態においては、誘導コイル７１は、耐熱性の樹脂材料により形成された支持部材（図示せず）の上に、線材が巻き回されて固定される。
【００５７】
誘導コイル７１は、不図示の誘導加熱用回路部に接続される。誘導コイル７１には、誘導加熱用回路部から所定周波数の交流電流が印加される。誘導コイル７１は、誘導加熱用回路部から交流電流が印加されることにより、加熱回転ベルト９３を発熱させるための磁束を発生させる。誘導コイル７１により発生された磁束は、加熱回転ベルト９３及び磁性体コア部７２（後述）により形成される磁束の経路である磁路に導かれる。
【００５８】
磁路は、誘導コイル７１により発生された磁束が第１周回方向Ｒ３ａ及び第２周回方向Ｒ３ｂに周回するように、加熱回転ベルト９３及び磁性体コア部７２（後述）により形成される。第１周回方向Ｒ３ａ及び第２周回方向Ｒ３ｂそれぞれは、誘導コイル７１の内周縁７１１Ａの内側と外周縁７１１Ｂの外側とを通り誘導コイル７１を囲むように周回する方向である。誘導コイル７１により発生された磁束は、磁路を通過する。
【００５９】
誘導コイル７１により発生される磁束は、誘導加熱用回路部（不図示）から所定周波数の交流電流が印加されるため、交流電流のプラス又はマイナスへの周期的な変動により、その大きさ及び方向が変化する。加熱回転ベルト９３には、この磁束の変化により誘導電流（渦電流）が発生する。
【００６０】
磁性体コア部７２は、第１周回方向Ｒ３ａ及び第２周回方向Ｒ３ｂに周回する一対の磁路（図１０Ａ参照）を形成する。磁性体コア部７２は、強磁性材料を主体として形成されるため、誘導コイル７１により発生される磁束の経路である磁路を形成する。
【００６１】
図２に示すように、磁性体コア部７２は、第１可動コア部としてのセンターコア部７３と、一対の固定コア部としての上流側アーチコア部７４ａ及び下流側アーチコア部７４ｂと、第２可動コア部としての上流側サイドコア部７５と、第３可動コア部としての下流側サイドコア部７６とを有する。
センターコア部７３の第１コア部材７３９（後述）、上流側アーチコア部７４ａ、下流側アーチコア部７４ｂ、上流側サイドコア部７５の第２コア部材７５１（後述）、下流側サイドコア部７６の第３コア部材７６１（後述）は、例えば、フェライト粉末を焼結して成形される強磁性材料からなるフェライト製の磁性体コアである。
【００６２】
センターコア部７３、上流側アーチコア部７４ａ、上流側サイドコア部７５、加熱回転ベルト９３は、磁路の第１周回方向Ｒ３ａに並んで配置される。また、センターコア部７３、下流側アーチコア部７４ｂ、下流側サイドコア部７６、加熱回転ベルト９３は、磁路の第２周回方向Ｒ３ｂに並んで配置される。
【００６３】
上流側アーチコア部７４ａ及び下流側アーチコア部７４ｂそれぞれは、誘導コイル７１を挟んで加熱回転ベルト９３の外周面に対向して配置される。上流側アーチコア部７４ａ及び下流側アーチコア部７４ｂそれぞれは、用紙Ｔの搬送方向Ｄ１においてセンターコア部７３を挟むようにして、用紙Ｔの搬送方向Ｄ１における上流側及び下流側に対をなして配置される。上流側アーチコア部７４ａ及び下流側アーチコア部７４ｂそれぞれは、加熱回転ベルト９３の周方向に沿うように延びるアーチ状に形成される。
【００６４】
本実施形態においては、上流側アーチコア部７４ａは、図２に示すように、上流側水平部７４６と、上流側傾斜部７４７とを有する。下流側アーチコア部７４ｂは、下流側水平部７４２と、下流側傾斜部７４３とを有する。
【００６５】
また、上流側アーチコア部７４ａ及び下流側アーチコア部７４ｂそれぞれは、図３に示すように、用紙幅方向Ｄ２に所定距離だけ離間して複数配置される。
複数の上流側アーチコア部７４ａ及び複数の下流側アーチコア部７４ｂそれぞれは、用紙幅方向Ｄ２に離間して、第１周回方向Ｒ３ａ及び第２周回方向Ｒ３ｂそれぞれにおいて周回する複数の磁路を形成する。
【００６６】
センターコア部７３は、図２に示すように、第１周回方向Ｒ３ａにおいて上流側アーチコア部７４ａと加熱回転ベルト９３との間における磁路、及び、第２周回方向Ｒ３ｂにおいて下流側アーチコア部７４ｂと加熱回転ベルト９３との間における磁路（図１０Ａ参照）を形成する。センターコア部７３は、第１周回方向Ｒ３ａ及び第２周回方向Ｒ３ｂに周回する一対の磁路の共通の磁路として構成される。
センターコア部７３は、中央領域７１８の近傍（誘導コイル７１の内周縁７１１Ａの近傍）に配置される。
【００６７】
センターコア部７３は、加熱回転ベルト９３の外周面から所定距離だけ離間して配置された第１コア部材７３９と、第１コア部材７３９の外周面の一部を覆うように配置される第１磁束遮蔽部７７と、を有する。
【００６８】
また、図２から図４に示すように、センターコア部７３は、用紙幅方向Ｄ２と平行な第１可動コア回転軸としてのセンターコア回転軸Ｊ３を中心に回転可能に構成される。
センターコア部７３の第１コア部材７３９は、図３及び図４に示すように、センターコア回転軸Ｊ３方向に長い円筒形状で、最大長さの用紙Ｔの最大通紙幅Ｗ１と同程度の長さで形成される。
【００６９】
上流側サイドコア部７５及び下流側サイドコア部７６は、図２に示すように、第１周回方向Ｒ３ａ及び第２周回方向Ｒ３ｂにおいて、複数の上流側アーチコア部７４ａ及び複数の下流側アーチコア部７４ｂそれぞれと加熱回転ベルト９３との間における磁路（図１０Ａ参照）を形成する。
【００７０】
上流側サイドコア部７５及び下流側サイドコア部７６それぞれは、用紙Ｔの搬送方向Ｄ１における上流側及び下流側において、誘導コイル７１の外周縁７１１Ｂの外側の近傍に配置される。
上流側サイドコア部７５は、加熱回転ベルト９３の外周面から所定距離だけ離間して配置された第２コア部材７５１と、第２コア部材７５１の外周面の一部を覆うように配置される第２磁束遮蔽部７８と、を有する。
【００７１】
下流側サイドコア部７６は、加熱回転ベルト９３の外周面から所定距離だけ離間して配置された第３コア部材７６１と、第３コア部材７６１の外周面の一部を覆うように配置される第３磁束遮蔽部７９と、を有する。
【００７２】
また、図２から図４に示すように、上流側サイドコア部７５及び下流側サイドコア部７６それぞれは、用紙幅方向Ｄ２と平行な第２可動コア回転軸としての上流側サイドコア回転軸Ｊ４ａ及び第３可動コア回転軸としての下流側サイドコア回転軸Ｊ４ｂを中心に回転可能に構成される。
上流側サイドコア部７５の第２コア部材７５１及び下流側サイドコア部７６の第３コア部材７６１は、図３及び図４に示すように、上流側サイドコア回転軸Ｊ４ａ及び下流側サイドコア回転軸Ｊ４ｂ方向に長い円筒形状で、最大通紙領域９０１に対応する領域と同程度の長さで形成される。
【００７３】
センターコア部７３、上流側サイドコア部７５及び下流側サイドコア部７６それぞれは、図５に示すように、用紙幅方向Ｄ２において、加熱側第１通紙領域９０１ａに対応する第１通紙領域対応領域７０１と、加熱側第２通紙領域９０２ａに対応する第２通紙領域対応領域７０２と、加熱側第３通紙領域９０３ａに対応する第３通紙領域対応領域７０３と、加熱側第４通紙領域９０４ａに対応する第４通紙領域対応領域７０４と、加熱側第５通紙領域９０５ａに対応する第５通紙領域対応領域７０５と、加熱側第６通紙領域９０６ａに対応する第６通紙領域対応領域７０６と、を有する。
【００７４】
第１磁束遮蔽部７７は、センターコア部７３の第１コア部材７３９の外周面の一部を覆うように配置される。第１磁束遮蔽部７７は、第１コア部材７３９の外周面に沿って取り付けられている。第１磁束遮蔽部７７は、薄板状に形成され、全体として円弧状に湾曲している。
【００７５】
第１磁束遮蔽部７７は、非磁性体材料であり、且つ、導電率が高い導電部材により形成される。第１磁束遮蔽部７７としては、例えば、無酸素銅などが用いられる。
第１磁束遮蔽部７７は、その面に垂直な磁束が貫通することによる誘導電流で、貫通した磁束に対して逆方向の磁束を発生させる。そして、第１磁束遮蔽部７７は、錯交磁束（垂直な貫通磁束）をキャンセルする方向の磁束を発生させることで磁路を通過する磁束を低減させ又は無くす。
【００７６】
図５に示すように、第１磁束遮蔽部７７は、用紙幅方向Ｄ２において離間して配置される一対の第１板状部７７１、７７１を有する。
なお、以下の説明において、一対の第１板状部７７１、７７１については、一対の第１板状部７７１、７７１が同じ構成であるため、一方の第１板状部７７１について説明する場合がある。
【００７７】
図５に示すように、第１板状部７７１は、第４通紙幅Ｗ４の用紙Ｔ、第５通紙幅Ｗ５の用紙Ｔ及び第６通紙幅Ｗ６の用紙Ｔの非通紙領域の長さに対応した用紙幅方向Ｄ２に所定の長さを有する段形状に形成される。第１板状部７７１は、第１部分７７２Ａと、第２部分７７２Ｂと、第３部分７７２Ｃと、を有する。
【００７８】
また、図６に示すように、第１板状部７７１は、３つの第１コア部材側遮蔽部として、第６領域外側遮蔽部分７７３Ａと、第５領域外側遮蔽部分７７３Ｂと、第４領域外側遮蔽部分７７３Ｃと、を有する。
第４領域外側遮蔽部分７７３Ｃ、第６領域外側遮蔽部分７７３Ａ及び第５領域外側遮蔽部分７７３Ｂは、第１コア部材７３９の周方向に連続して並んで配置される。
【００７９】
第６領域外側遮蔽部分７７３Ａは、第６通紙幅Ｗ６の用紙Ｔの非通紙領域に対応して、第１コア部材７３９の外周面における第６通紙領域対応領域７０６の用紙幅方向Ｄ２の外側の領域をセンターコア回転軸Ｊ３を中心とする角度において９０°で覆うように形成される。
【００８０】
また、第５領域外側遮蔽部分７７３Ｂは、第５通紙幅Ｗ５の用紙Ｔの非通紙領域に対応して、第１コア部材７３９の外周面における第５通紙領域対応領域７０５の用紙幅方向Ｄ２の外側の領域をセンターコア回転軸Ｊ３を中心とする角度において９０°で覆うように形成される。
【００８１】
また、第４領域外側遮蔽部分７７３Ｃは、第４通紙幅Ｗ４の用紙Ｔの非通紙領域に対応して、第４通紙領域対応領域７０４の用紙幅方向Ｄ２の外側の領域をセンターコア回転軸Ｊ３を中心とする角度において９０°で覆うように形成される。
【００８２】
次に、第２磁束遮蔽部７８及び第３磁束遮蔽部７９について説明する。第２磁束遮蔽部７８及び第３磁束遮蔽部７９の説明については、主として、第１磁束遮蔽部７７と異なる点を中心に説明し、第１磁束遮蔽部７７と同様の構成については、説明を省略する。
図２から図４に示すように、第２磁束遮蔽部７８は、上流側サイドコア部７５の第２コア部材７５１の外周面の一部を覆うように配置される。
【００８３】
図５に示すように、第２磁束遮蔽部７８は、上流側サイドコア部７５の用紙幅方向Ｄ２において離間して配置される一対の第２板状部７８１、７８１を有する。第２板状部７８１は、第４部分７８２Ａと、第５部分７８２Ｂとを有する。
【００８４】
また、図６に示すように、第２板状部７８１は、２つの第２コア部材側遮蔽部として、第４部分７８２Ａで構成される第２板状部側第３領域外側遮蔽部分と、第５部分７８２Ｂで構成される第２板状部側第２領域外側遮蔽部分と、を有する。
第２板状部側第３領域外側遮蔽部分７８２Ａ及び第２板状部側第２領域外側遮蔽部分７８２Ｂは、第２コア部材７５１の周方向に離間した状態で並んで配置される。
【００８５】
２つの第２コア部材側遮蔽部７８２Ａ、７８２Ｂそれぞれは、第１磁束遮蔽部７７の３つの第１コア部材側遮蔽部７７３Ａ、７７３Ｂ、７７３Ｃそれぞれが対応するサイズの用紙Ｔとは異なるサイズの用紙Ｔに対応した複数の非通紙領域に対応している。
【００８６】
第２板状部側第３領域外側遮蔽部分７８２Ａは、第３通紙幅Ｗ３の用紙Ｔの非通紙領域に対応して、第２コア部材７５１の外周面における第３通紙領域対応領域７０３の用紙幅方向Ｄ２の外側の領域を上流側サイドコア回転軸Ｊ４ａを中心とする角度において９０°で覆うように形成される。
第２板状部側第２領域外側遮蔽部分７８２Ｂは、第２通紙幅Ｗ２の用紙Ｔの非通紙領域に対応して、第２コア部材７５１の外周面における第２通紙領域対応領域７０２の用紙幅方向Ｄ２の外側の領域を上流側サイドコア回転軸Ｊ４ａを中心とする角度において９０°で覆うように形成される。
【００８７】
図４に示すように、上流側サイドコア部７５は、第２磁束遮蔽部７８の第２板状部側第３領域外側遮蔽部分７８２Ａ及び第２板状部側第２領域外側遮蔽部分７８２Ｂそれぞれが加熱回転ベルト９３の外周面に対向して誘導コイル７１が発生させた磁束を低減させ又は遮蔽するように、上流側サイドコア回転軸Ｊ４ａを中心に回転可能に構成される。
【００８８】
第３磁束遮蔽部７９は、下流側サイドコア部７６の第３コア部材７６１の外周面の一部を覆うように配置される。また、第３磁束遮蔽部７９は、下流側サイドコア部７６の用紙幅方向Ｄ２において離間して配置される一対の第３板状部７９１、７９１を有する。
【００８９】
図５に示すように、第３板状部７９１は、第６部分７９２Ａと、第７部分７９２Ｂとを有する。また、図６に示すように、第３板状部７９１は、２つの第３コア部材側遮蔽部として、第６部分７９２Ａで構成される第３板状部側第３領域外側遮蔽部分と、第７部分７９２Ｂで構成される第３板状部側第２領域外側遮蔽部分と、を有する。
第３板状部側第３領域外側遮蔽部分７９２Ａは、第３通紙幅Ｗ３の用紙Ｔの非通紙領域に対応して、第３コア部材７６１の外周面における第３通紙領域対応領域７０３の用紙幅方向Ｄ２の外側の領域を下流側サイドコア回転軸Ｊ４ｂを中心とする角度において９０°で覆うように形成される。
第３板状部側第２領域外側遮蔽部分７９２Ｂは、第２通紙幅Ｗ２の用紙Ｔの非通紙領域に対応して、第３コア部材７６１の外周面における第２通紙領域対応領域７０２の用紙幅方向Ｄ２の外側の領域を下流側サイドコア回転軸Ｊ４ｂを中心とする角度において９０°で覆うように形成される。
【００９０】
図４に示すように、回転駆動部７７０は、センターコア部７３をセンターコア回転軸Ｊ３を中心に回転させる第１回転駆動部１５５と、上流側サイドコア部７５を上流側サイドコア回転軸Ｊ４ａを中心に回転させる第２回転駆動部１５４ａと、下流側サイドコア部７６を下流側サイドコア回転軸Ｊ４ｂを中心に回転させる第３回転駆動部１５４ｂと、を有する。
【００９１】
第１回転駆動部１５５、第２回転駆動部１５４ａ及び第３回転駆動部１５４ｂそれぞれは、別々に回転駆動可能に構成される。
第１回転駆動部１５５は、３つの第１コア部材側遮蔽部７７３Ａ、７７３Ｂ、７７３Ｃのうちのいずれかを加熱回転ベルト９３の外面に対向させるよう／または対向させないようセンターコア部７３を回転駆動する。
また、第２回転駆動部１５４ａは、２つの第２コア部材側遮蔽部７８２Ａ、７８２Ｂのうちのいずれかを加熱回転ベルト９３の外面に対向させるよう／または対向させないよう上流側サイドコア部７５を回転駆動する。
また、第３回転駆動部１５４ｂは、２つの第３コア部材側遮蔽部７９２Ａ、７９２Ｂのうちのいずれかを加熱回転ベルト９３の外面に対向させるよう／または対向させないよう下流側サイドコア部７６を回転駆動する。
【００９２】
図７に示すように、第１回転駆動部１５５、第２回転駆動部１５４ａ及び第３回転駆動部１５４ｂそれぞれは、回転駆動源１５８と、ギア機構１５６と、を有する。ギア機構１５６には、回転駆動源１５８の出力軸１５８Ａに接続される第１ギア１５６Ａと、第１ギア１５６Ａに噛み合う第２ギア１５６Ｂと、により構成されるウォームギアが用いられる。
【００９３】
第１回転駆動部１５５、第２回転駆動部１５４ａ及び第３回転駆動部１５４ｂそれぞれは、回転駆動源１５８からの回転駆動力をギア機構１５６に伝達することにより、センターコアシャフト７３５、上流側サイドコアシャフト７８５ａ及び下流側サイドコアシャフト７８５ｂそれぞれを回転駆動する。
【００９４】
また、センターコアシャフト７３５、上流側サイドコアシャフト７８５ａ及び下流側サイドコアシャフト７８５ｂそれぞれの一方の端部側には、回転位置検知部１５９が配置される。回転位置検知部１５９は、スリット付ディスク１５９Ａと、回転位置検知センサ１５９Ｂとを備える。
【００９５】
以上のような構成の加熱ユニット７０において、用紙Ｔのサイズ（通紙幅）への対応は、用紙Ｔのサイズ（通紙幅）に応じて、センターコア部７３、上流側サイドコア部７５及び下流側サイドコア部７６の回転角度を異ならせることにより、誘導コイル７１が発生させた磁束の遮蔽量を調整する。
【００９６】
例えば、図８に示すように、第１磁束遮蔽部７７、第２磁束遮蔽部７８及び第３磁束遮蔽部７９を、第１通紙幅Ｗ１から第６通紙幅Ｗ６の長さの用紙Ｔに対応して、第１遮蔽状態から第６遮蔽状態の６種類の遮蔽状態に切り替え可能である。
【００９７】
温度センサ９５について説明する。温度センサ９５は、加熱回転ベルト９３の温度を検知する。本実施形態においては、図２に示すように、温度センサ９５は、加熱回転ベルト９３の外周面に当接して配置される。
【００９８】
次に、定着装置９の制御に係る構成について説明する。図４に示すように、プリンタ１は、受け付け部１０１と、制御部１１０と、記憶部１２０とを有する。
受け付け部１０１は、用紙Ｔのサイズに関するサイズ情報を含む画像形成指示情報を受け付け可能である。
【００９９】
制御部１１０は、駆動制御部１１１を有する。駆動制御部１１１は、３つの第１コア部材側遮蔽部７７３Ａ、７７３Ｂ、７７３Ｃ、２つの第２コア部材側遮蔽部７８２Ａ、７８２Ｂ、及び、２つの第３コア部材側遮蔽部７９２Ａ、７９２Ｂのうちのいずれかを加熱回転ベルト９３の外周面に対向させるように、第１回転駆動部１５５、第２回転駆動部１５４ａ及び／又は第３回転駆動部１５４ｂを制御する。
【０１００】
また、駆動制御部１１１は、受け付け部１０１に受け付けられた用紙Ｔのサイズ情報に基づいて、後述する記憶部１２０に記憶された情報を参照して、用紙Ｔのサイズに対応するいずれかの遮蔽部分を加熱回転ベルト９３の外周面に対向させるように、第１回転駆動部１５５及び／又は第２回転駆動部１５４ａを制御する。
【０１０１】
記憶部１２０は、第１回転駆動部１５５、第２回転駆動部１５４ａ及び第３回転駆動部１５４ｂの動作量（回転量）に関する情報を記憶する。
【０１０２】
次に、本実施形態の定着装置９を含むプリンタ１の動作について図９から図１０Ｃを参照して説明する。図９は、第１実施形態の定着装置９を含むプリンタ１の動作を説明するフローチャートである。図１０Ａは、各用紙Ｔの通紙領域において誘導コイル７１が発生させた磁束が低減されず又は遮蔽されずに磁路を通過する状態を説明する図である。図１０Ｂは、用紙Ｔの非通紙領域において第１磁束遮蔽部７７が加熱回転ベルト９３の外周面に対向した状態を説明する図である。図１０Ｃは、用紙Ｔの非通紙領域において第１磁束遮蔽部７７、第２磁束遮蔽部７８及び第３磁束遮蔽部７９が加熱回転ベルト９３の外周面に対向した状態を説明する図である。
【０１０３】
ステップＳＴ１において、受け付け部１０１は、プリンタ１の電源がＯＮの状態において、例えばプリンタ１の外部に配置されている操作部（図示せず）が操作されたことに基づいて発生する画像形成指示情報を受け付ける。
例えば、受け付け部１０１は、第５通紙幅Ｗ５の用紙Ｔが定着ニップＦに搬送されることを受け付ける。
【０１０４】
ステップＳＴ２において、受け付け部１０１に受け付けられた用紙Ｔのサイズに関するサイズ情報に基づいて、駆動制御部１１１は、第１回転駆動部１５５、第２回転駆動部１５４ａ及び第３回転駆動部１５４ｂを制御する。
例えば、第５通紙幅Ｗ５の用紙Ｔが定着ニップＦに搬送される場合には、駆動制御部１１１は、記憶部１２０に記憶された情報に基づいて、第５遮蔽状態（図８参照）になるように、センターコア部７３、上流側サイドコア部７５及びセンターコア部７３を回転させる。これにより、第１回転駆動部１５５、第２回転駆動部１５４ａ及び／又は第３回転駆動部１５４ｂは、第５通紙幅Ｗ５の用紙Ｔに対応する第５領域外側遮蔽部分７７３Ｂと、第２板状部側第３領域外側遮蔽部分７８２Ａ及び第３板状部側第３領域外側遮蔽部分７９２Ａと、を加熱回転ベルト９３の外周面に対向させる。
【０１０５】
ステップＳＴ３において、プリンタ１は、印刷動作を開始する。
【０１０６】
ステップＳＴ４において、駆動制御部への電力の供給が開始されると、回転駆動部（不図示）により加圧ローラ９ｂが回転駆動される。加圧ローラ９ｂの回転駆動に伴って加熱回転ベルト９３は、従動して回転される。
【０１０７】
ステップＳＴ５において、定着装置９は、発熱動作を開始する。
【０１０８】
これにより、誘導コイル７１には、誘導加熱用回路部（不図示）から交流電流が印加される。誘導コイル７１は、加熱回転ベルト９３を発熱させるための磁束を発生させる。誘導コイル７１により発生される磁束は、交番磁束であるため周期的にその大きさ及び方向が変化する。
【０１０９】
そして、加熱回転ベルト９３の垂直方向の上方側の部分には、電磁誘導により渦電流（誘導電流）が発生する。加熱回転ベルト９３には、加熱回転ベルト９３が有する電気抵抗によりジュール熱が発生する。このように、加熱回転ベルト９３は、第５通紙幅Ｗ５の用紙Ｔの通紙領域において、電磁誘導を利用した電磁誘導加熱（ＩＨ）により発熱される。
【０１１０】
ここで、第５通紙幅Ｗ５の用紙Ｔの非通紙領域においては、第５領域外側遮蔽部分７７３Ｂが加熱回転ベルト９３の外周面に対向している。そのため、第１磁束遮蔽部７７の第５領域外側遮蔽部分７７３Ｂは、その面に垂直な磁束が貫通することによる誘導電流で貫通磁束とは逆方向の磁束を発生させる。そして、図１０Ｂに示すように、第１磁束遮蔽部７７の第５領域外側遮蔽部分７７３Ｂは、錯交磁束（垂直な貫通磁束）をキャンセルする磁束を発生させることで磁路を通過する磁束を低減又は遮蔽する。
これにより、第５通紙幅Ｗ５の用紙Ｔの非通紙領域において、加熱回転ベルト９３の温度が過度に上昇されることを抑制することができる。
【０１１１】
ステップＳＴ６において、加熱回転ベルト９３は、定着ニップＦにおいて所定の定着温度に加熱される。
加熱回転ベルト９３の回転により、加熱回転ベルト９３の電磁誘導加熱（ＩＨ）により発熱された部分は、加熱回転ベルト９３と加圧ローラ９ｂとにより形成される定着ニップＦに向けて順次移動される。
【０１１２】
定着装置９（プリンタ１）は、定着ニップＦにおいて、所定の温度になるように、温度センサ９５により検知される加熱回転ベルト９３の外周面の温度に基づいて、誘導加熱用回路部（不図示）を制御している。
【０１１３】
ステップＳＴ７において、トナー画像が形成された用紙Ｔは、定着装置９の定着ニップＦに導入される。そして、定着ニップＦにおいて、トナーが溶融し、トナーが用紙Ｔに定着される。
【０１１４】
ステップＳＴ８において、第５通紙幅Ｗ５の用紙Ｔの印刷動作が終了した後に、用紙Ｔが連続して印刷されるのか否かが判定される。用紙Ｔが連続して印刷される場合（ＹＥＳ）には、ステップＳＴ７に戻り、ステップＳＴ７の動作が繰り返される。
用紙Ｔが連続して印刷される場合（ＹＥＳ）の動作においては、各サイズ（通紙幅）の用紙Ｔに対応して、加熱回転ベルト９３における各サイズの用紙Ｔの非通紙領域それぞれの温度が過度に上昇することを低減又は抑制することができる。
用紙Ｔが連続して印刷されない場合（ＮＯ）には、プリンタ１による印刷動作を終了する。
【０１１５】
本実施形態のプリンタ１によれば、例えば、次のような効果が奏される。
本実施形態のプリンタ１においては、複数の第１コア部材側遮蔽部７７３Ａ、７７３Ｂ、７７３Ｃを有するセンターコア部７３と、複数の第２コア部材側遮蔽部７８２Ａ、７８２Ｂを有する上流側サイドコア部７５と、複数の第３コア部材側遮蔽部７９２Ａ、７９２Ｂを有する下流側サイドコア部７６と、を備える。
【０１１６】
そのため、センターコア部７３側のみに異なるサイズの用紙Ｔに対応する複数の遮蔽部を配置するよりも多くの複数の異なるサイズの用紙Ｔに対応して、非通紙領域において加熱回転ベルト９３の温度が過度に上昇されることを低減することができる。
【０１１７】
また、複数の第１コア部材側遮蔽部７７３Ａ、７７３Ｂ、７７３Ｃは、第１コア部材７３９の周方向に並んで配置される。複数の第２コア部材側遮蔽部７８２Ａ、７８２Ｂは、第２コア部材７５１の周方向に並んで配置される。複数の第３コア部材側遮蔽部７９２Ａ、７９２Ｂは、第３コア部材７６１の周方向に並んで配置される。
これにより、センターコア部７３の外周面における周方向に並んで配置させる複数の遮蔽部の数を少なくすることができる。従って、センターコア部７３の第１コア部材７３９の径が大きくなることを抑制することができる。
【０１１８】
また、本実施形態のプリンタ１においては、駆動制御部１１１の制御により、異なる複数のサイズの用紙Ｔの非通紙領域に対応する領域に、磁束を低減させ又は遮蔽する遮蔽部を位置させることができる。これにより、駆動制御部１１１による簡易な制御により、用紙幅方向Ｄ２の長さが異なる複数のサイズの用紙Ｔに対応して、非通紙領域において加熱回転ベルト９３の温度が過度に上昇されることを低減することができる。
【０１１９】
また、本実施形態のプリンタ１においては、受け付け部１０１に受け付けられた用紙Ｔのサイズ情報に基づいて、用紙幅方向Ｄ２の長さが異なる複数のサイズの用紙Ｔに対応して、用紙Ｔの非通紙領域において加熱回転ベルト９３の温度が過度に上昇されることを低減することができる。
【０１２０】
次に、本発明の第２実施形態について説明する。第２実施形態については、主として、第１実施形態とは異なる点を中心に説明し、第２実施形態において特に説明しない点は、第１実施形態についての説明が適宜適用又は援用される。
【０１２１】
図１１は、第２実施形態における定着装置９の加熱ユニット７０を用紙Ｔの搬送方向Ｄ１から視た図である。図１２は、第２実施形態の第１磁束遮蔽部７７Ａ、第２磁束遮蔽部７８Ａ及び第３磁束遮蔽部７９Ａの形状を示す図である。図１３は、３つの第１コア部材側遮蔽部７７７Ａ、７７７Ｂ、７７７Ｃ、３つの第２コア部材側遮蔽部７８７Ａ、７８７Ｂ、７８７Ｃ及び３つの第３コア部材側遮蔽部７９７Ａ、７９７Ｂ、７９７Ｃを説明する図である。図１４は、第２実施形態における第１磁束遮蔽部７７Ａ、第２磁束遮蔽部７８Ａ及び第３磁束遮蔽部７９Ａの遮蔽状態を説明する図である。
【０１２２】
第２実施形態においては、センターコア部７３Ａの第１磁束遮蔽部７７Ａ、上流側サイドコア部７５Ａの第２磁束遮蔽部７８Ａ及び下流側サイドコア部７６Ａの第３磁束遮蔽部７９Ａの構成が、第１実施形態の定着装置９とは異なる。
【０１２３】
第２実施形態の定着装置９においては、図１１に示すように、用紙幅方向Ｄ２における長さが第１１通紙幅Ｗ１１〜第２０通紙幅Ｗ２０の用紙Ｔが定着ニップＦに搬送される場合における通紙領域として、１０種類の第１１通紙領域９１１〜第２０通紙領域９２０の通紙領域を設定（形成）する。
【０１２４】
通紙領域は、用紙幅方向Ｄ２の長さが長い領域から順に、第１１通紙領域９１１〜第２０通紙領域９２０となっている。
第１１通紙領域９１１〜第２０通紙領域９２０それぞれの用紙幅方向Ｄ２の外側の領域は、非通紙領域（外側領域）である。
【０１２５】
また、第１１通紙領域９１１〜第２０通紙領域９２０それぞれにおける用紙幅方向Ｄ２に平行な方向の長さを、「第１１通紙幅Ｗ１１」〜「第２０通紙幅Ｗ２０」という。
そのため、第２実施形態において通紙可能な用紙Ｔの通紙幅は、長い通紙幅から順に、第１１通紙幅Ｗ１１〜第２０通紙幅Ｗ２０である。
【０１２６】
センターコア部７３Ａ、上流側サイドコア部７５Ａ及び下流側サイドコア部７６Ａそれぞれは、図１２に示すように、用紙幅方向Ｄ２において、第１１通紙領域９１１〜第２０通紙領域９２０それぞれに対応する第１１通紙領域対応領域７２１〜第２０通紙領域対応領域７３０を有する。
【０１２７】
図１２に示すように、第１磁束遮蔽部７７Ａは、センターコア部７３Ａの第１コア部材７３９の外周面の一部を覆うように配置される。第１磁束遮蔽部７７Ａは、センターコア部７３Ａの用紙幅方向Ｄ２において離間して配置される一対の第１板状部７７１Ａ、７７１Ａを有する。
【０１２８】
図１２に示すように、第１板状部７７１Ａは、第１２通紙幅Ｗ１２の用紙Ｔ、第１３通紙幅Ｗ１３の用紙Ｔ及び第１４通紙幅Ｗ１４の用紙Ｔの非通紙領域の長さに対応した用紙幅方向Ｄ２に所定の長さを有する段形状に形成される。
【０１２９】
図１２に示すように、第１板状部７７１Ａは、第１１部分７７６Ａと、第１２部分７７６Ｂと、第１３部分７７６Ｃと、を有する。
また、図１３に示すように、第１板状部７７１Ａは、３つの第１コア部材側遮蔽部として、第１４領域外側遮蔽部分７７７Ａと、第１３領域外側遮蔽部分７７７Ｂと、第１２領域外側遮蔽部分７７７Ｃと、を有する。
【０１３０】
第１４領域外側遮蔽部分７７７Ａは、第１４通紙幅Ｗ１４の用紙Ｔの非通紙領域に対応して、第１コア部材７３９の外周面における第１４通紙領域対応領域７２４の外側の領域を覆うように形成される。
第１３領域外側遮蔽部分７７７Ｂは、第１３通紙幅Ｗ１３の用紙Ｔの非通紙領域に対応して、第１コア部材７３９の外周面における第１３通紙領域対応領域７２３の外側の領域を覆うように形成される。
第１２領域外側遮蔽部分７７７Ｃは、第１２通紙幅Ｗ１２の用紙Ｔの非通紙領域に対応して、第１２通紙領域対応領域７２２の外側の領域を覆うように形成される。
【０１３１】
図１２に示すように、第２磁束遮蔽部７８Ａは、上流側サイドコア部７５Ａの第２コア部材７５１の外周面の一部を覆うように配置される。第２磁束遮蔽部７８Ａは、上流側サイドコア部７５Ａの用紙幅方向Ｄ２において離間して配置される一対の第２板状部７８１Ａ、７８１Ａを有する。
【０１３２】
図１２に示すように、第２板状部７８１Ａは、第１６通紙幅Ｗ１６の用紙Ｔ、第１９通紙幅Ｗ１９の用紙Ｔ及び第２０通紙幅Ｗ２０の用紙Ｔの非通紙領域の長さに対応した用紙幅方向Ｄ２に所定の長さを有する段形状に形成される。
【０１３３】
図１２に示すように、第２板状部７８１Ａは、第１４部分７８６Ａと、第１５部分７８６Ｂと、第１６部分７８６Ｃと、を有する。
また、図１３に示すように、第２板状部７８１Ａは、３つの第２コア部材側遮蔽部として、第２０領域外側遮蔽部分７８７Ａと、第１９領域外側遮蔽部分７８７Ｂと、第１６領域外側遮蔽部分７８７Ｃと、を有する。
第１６領域外側遮蔽部分７８７Ｃ、第２０領域外側遮蔽部分７８７Ａ及び第１９領域外側遮蔽部分７８７Ｂは、第２コア部材７５１の周方向に連続して並んで配置される。
３つの第２コア部材側遮蔽部７８７Ａ、７８７Ｂ、７８７Ｃそれぞれは、第１磁束遮蔽部７７Ａの３つの第１コア部材側遮蔽部７７７Ａ、７７７Ｂ、７７７Ｃそれぞれが対応するサイズの用紙Ｔとは異なるサイズの用紙Ｔに対応した複数の非通紙領域に対応している。
【０１３４】
第２０領域外側遮蔽部分７８７Ａは、第２０通紙幅Ｗ２０の用紙Ｔの非通紙領域に対応して、第２コア部材７５１の外周面における第２０通紙領域対応領域７３０の外側の領域を覆うように形成される。
第１９領域外側遮蔽部分７８７Ｂは、第１９通紙幅Ｗ１９の用紙Ｔの非通紙領域に対応して、第２コア部材７５１の外周面における第１９通紙領域対応領域７２９の外側の領域を覆うように形成される。
第１６領域外側遮蔽部分７８７Ｃは、第１６通紙幅Ｗ１６の用紙Ｔの非通紙領域に対応して、第１６通紙領域対応領域７２６の外側の領域を覆うように形成される。
【０１３５】
図１２に示すように、第３磁束遮蔽部７９Ａは、下流側サイドコア部７６Ａの第３コア部材７６１の外周面の一部を覆うように配置される。第３磁束遮蔽部７９Ａは、下流側サイドコア部７６Ａの用紙幅方向Ｄ２において離間して配置される一対の第３板状部７９１Ａ、７９１Ａを有する。
【０１３６】
図１２に示すように、第３板状部７９１Ａは、第１５通紙幅Ｗ１５の用紙Ｔ、第１７通紙幅Ｗ１７の用紙Ｔ及び第１８通紙幅Ｗ１８の用紙Ｔの非通紙領域の長さに対応した用紙幅方向Ｄ２に所定の長さを有する段形状に形成される。
【０１３７】
図１２に示すように、第３板状部７９１Ａは、第１７部分７９６Ａと、第１８部分７９６Ｂと、第１９部分７９６Ｃと、を有する。
また、図１３に示すように、第３板状部７９１Ａは、３つの第３コア部材側遮蔽部として、第１８領域外側遮蔽部分７９７Ａと、第１７領域外側遮蔽部分７９７Ｂと、第１５領域外側遮蔽部分７９７Ｃと、を有する。
第１５領域外側遮蔽部分７９７Ｃ、第１８領域外側遮蔽部分７９７Ａ及び第１７領域外側遮蔽部分７９７Ｂは、第３コア部材７６１の周方向に連続して並んで配置される。
３つの第３コア部材側遮蔽部７９７Ａ、７９７Ｂ、７９７Ｃそれぞれは、第１磁束遮蔽部７７Ａの３つの第１コア部材側遮蔽部７７７Ａ、７７７Ｂ、７７７Ｃ、及び、第２磁束遮蔽部７８Ａの３つの第２コア部材側遮蔽部７８７Ａ、７８７Ｂ、７８７Ｃそれぞれが対応するサイズの用紙Ｔとは異なるサイズの用紙Ｔに対応した複数の非通紙領域に対応している。
【０１３８】
第１８領域外側遮蔽部分７９７Ａは、第１８通紙幅Ｗ１８の用紙Ｔの非通紙領域に対応して、第３コア部材７６１の外周面における第１８通紙領域対応領域７２８の外側の領域を覆うように形成される。
第１７領域外側遮蔽部分７９７Ｂは、第１７通紙幅Ｗ１７の用紙Ｔの非通紙領域に対応して、第３コア部材７６１の外周面における第１７通紙領域対応領域７２７の外側の領域を覆うように形成される。
第１５領域外側遮蔽部分７９７Ｃは、第１５通紙幅Ｗ１５の用紙Ｔの非通紙領域に対応して、第１５通紙領域対応領域７２５の外側の領域を覆うように形成される。
【０１３９】
第２実施形態においては、用紙Ｔのサイズ（通紙幅）への対応は、前述の第１実施形態と同様に、センターコア部７３Ａ、上流側サイドコア部７５Ａ及び下流側サイドコア部７６Ａの回転角度を異ならせることにより、誘導コイル７１が発生させた磁束の遮蔽量を調整する。
【０１４０】
例えば、図１４に示すように、第１１通紙幅Ｗ１１から第２０通紙幅Ｗ２０の長さの用紙Ｔに対応して、第１磁束遮蔽部７７Ａ、第２磁束遮蔽部７８Ａ及び第３磁束遮蔽部７９Ａを、第１１遮蔽状態から第２０遮蔽状態の１０種類の遮蔽状態に切り替え可能である。
【０１４１】
また、第２実施形態における駆動制御部１１１は、３つの第１コア部材側遮蔽部７７７Ａ、７７７Ｂ、７７７Ｃ、３つの第２コア部材側遮蔽部７８７Ａ、７８７Ｂ、７８７Ｃ、及び、３つの第３コア部材側遮蔽部７９７Ａ、７９７Ｂ、７９７Ｃのうちのいずれかを加熱回転ベルト９３の外周面に対向させるように、第１回転駆動部１５５、第２回転駆動部１５４ａ及び／又は第３回転駆動部１５４ｂを制御する。
【０１４２】
また、駆動制御部１１１は、受け付け部１０１に受け付けられた用紙Ｔのサイズ情報に基づいて、後述する記憶部１２０に記憶された情報を参照して、用紙Ｔのサイズに対応するいずれかの遮蔽部分を加熱回転ベルト９３の外周面に対向させるように、第１回転駆動部１５５、第２回転駆動部１５４ａ及び／又は第３回転駆動部１５４ｂを制御する。
【０１４３】
第２実施形態のプリンタ１の定着装置９において、センターコア部７３Ａ、上流側サイドコア部７５Ａ及び下流側サイドコア部７６Ａの動作及び作用は、第１実施形態と同様であるため、第１実施形態のプリンタ１の動作及び作用の説明を援用して説明を省略する。
【０１４４】
第２実施形態のプリンタ１によれば、第１実施形態で示した効果の他に、次のような効果が奏される。
第２実施形態のプリンタ１においては、第２コア部材側遮蔽部７８７Ａ、７８７Ｂ、７８７Ｃ及び第３コア部材側遮蔽部７９７Ａ、７９７Ｂ、７９７Ｃの遮蔽部の数を増やしたため、第１実施形態と同様の効果を有しつつ、第１実施形態よりも多くの複数の種類のサイズの用紙Ｔに対応して、各サイズの用紙Ｔの非通紙領域において加熱回転ベルト９３の温度が過度に上昇されることを低減することができる。
【０１４５】
以上、好適な実施形態について説明したが、本発明は前述した実施形態に限定されることなく種々の形態で実施することができる。
【０１４６】
例えば、前述の実施形態においては、異なる複数の用紙Ｔのサイズの例として、第１実施形態においては異なる６種類のサイズの用紙Ｔや、第２実施形態においては異なる１０種類のサイズの用紙Ｔにより説明したが、これに制限されない。
【０１４７】
本発明の画像形成装置の種類は、特に限定がなく、プリンタ以外に、コピー機、ファクシミリ、又はこれらの複合機などであってもよい。
シート状の被転写材は、用紙に制限されず、例えば、フィルムシートであってもよい。
【符号の説明】
【０１４８】
１……プリンタ（画像形成装置）、２……感光体ドラム（像担持体）、８……転写ローラ（転写部）、９……定着装置、９ａ……加熱回転体、９ｂ……加圧回転体（加圧ローラ）、１６……現像器、７１……誘導コイル、７２……磁性体コア部、７３、７３Ａ……センターコア部（第１可動コア部）、７４ａ……上流側アーチコア部（固定コア部）、７４ｂ……下流側アーチコア部（固定コア部）、７５、７５Ａ……上流側サイドコア部（第２可動コア部）、７６、７６Ａ……下流側サイドコア部（第３可動コア部）、７７、７７Ａ……第１磁束遮蔽部、７８、７８Ａ……第２磁束遮蔽部、７９、７９Ａ……第３磁束遮蔽部、１０１……受け付け部、１１１……駆動制御部、１５４ａ……第２回転駆動部、１５４ｂ……第３回転駆動部、１５５……第１回転駆動部、７３９……第１コア部材、７５１……第２コア部材、７６１……第３コア部材、７７３Ａ、７７３Ｂ、７７３Ｃ、７７７Ａ、７７７Ｂ、７７７Ｃ……第１コア部材側遮蔽部、７８２Ａ、７８２Ｂ、７８７Ａ、７８７Ｂ、７８７Ｃ……第２コア部材側遮蔽部、７９２Ａ、７９２Ｃ、７９７Ａ、７９７Ｂ、７９７Ｃ……第３コア部材側遮蔽部、Ｄ２……用紙幅方向（直交方向）、Ｆ……定着ニップ、Ｊ３……センターコア回転軸（第３可動コア回転軸）、Ｊ４ａ……上流側サイドコア回転軸（第２可動コア回転軸）、Ｊ４ｂ……下流側サイドコア回転軸（第３可動コア回転軸）、Ｒ３ａ……第１周回方向、Ｒ３ｂ……第２周回方向、Ｔ……用紙（被転写材）
【図１】
2012073461.tif 000003
【図２】
2012073461.tif 000004
【図３】
2012073461.tif 000005
【図４】
2012073461.tif 000006
【図５】
2012073461.tif 000007
【図６】
2012073461.tif 000008
【図７】
2012073461.tif 000009
【図８】
2012073461.tif 000010
【図９】
2012073461.tif 000011
【図１０Ａ】
2012073461.tif 000012
【図１０Ｂ】
2012073461.tif 000013
【図１０Ｃ】
2012073461.tif 000014
【図１１】
2012073461.tif 000015
【図１２】
2012073461.tif 000016
【図１３】
2012073461.tif 000017
【図１４】
2012073461.tif 000018